(57)【特許請求の範囲】
【請求項１】
天井面（２ａ）と該天井面（２ａ）につながる両側面（２ｂ）（２ｂ）から成る断面倒立Ｕ字形状のアウタースライダー（２）と、該アウタースライダー（２）の内部に入れるインナースライダー（３）とより成るスライダー（１）を備え、
袋体（５）の開口部の内面両側に凸部（４ａ）（４ｂ）（４ｂ）（４ｃ）（４ｄ）（４ｄ）を設けると共に一方側の上記凸部（４ａ）（４ｂ）を他方側の上記凸部（４ｃ）（４ｄ）（４ｄ）の間の凹部（４ｆ）（４ｆ）に嵌合させて開閉構造とするファスナー（４）を設け、上記インナースライダー（３）には、上記アウタースライダー（２）内でスライドさせることにより上記袋体（５）の開口部に設けた上記ファスナー（４）を開く突起（３ｂ）と上記ファスナー（４）を閉じる狭窄部（３ｃ）を設け、上記アウタースライダー（２）の内部の天井部に上記インナースライダー（３）をスライドさせる傾斜面（２ｅ）を設け上記袋体（５）の開口部の上記ファスナー（４）を開閉することを特徴とする密封型ファスナー用スライダー構造体。
【請求項２】
天井面（２ａ）と該天井面（２ａ）につながる両側面（２ｂ）（２ｂ）から成る断面倒立Ｕ字形状のアウタースライダー（２）と、該アウタースライダー（２）の内部に入れるインナースライダー（３）とより成るスライダー（１）を備え、
上記アウタースライダー（２）には、該アウタースライダー（２）の両側に凹部（２ｆ）（２ｆ）を設けて袋体（５）の開口部とファスナー（４）を通すと共に、該アウタースライダー（２）内部の天井部の傾斜面（２ｅ）に上記インナースライダー（３）をスライドするように設置させて該インナースライダー（３）で上記袋体（５）の開口部に設けた上記ファスナー（４）を開く突起（３ｂ）と上記ファスナー（４）を閉じる狭窄部（３ｃ）を設け、上記ファスナー（４）の両側に凸部（４ａ）（４ｂ）（４ｂ）（４ｃ）（４ｄ）（４ｄ）を設けると共に一方側の上記凸部（４ａ）（４ｂ）と他方側の上記凸部（４ｃ）（４ｄ）（４ｄ）の間の凹部（４ｆ）（４ｆ）とを嵌合させて開閉構造を設けることを特徴とする密封型ファスナー用スライダー構造体。
【請求項３】
天井面（２ａ）と該天井面（２ａ）につながる両側面（２ｂ）（２ｂ）から成る断面倒立Ｕ字形状のアウタースライダー（２）と、該アウタースライダー（２）の内部に入れるインナースライダー（３）とより成るスライダー（１）を備え、
上記インナースライダー（３）の一方側には袋体（５）の開口部のファスナー（４）に入る突起（３ｂ）を設け、他方側には上記袋体（５）の開口部を閉じる狭窄部（３ｃ）を設け、該狭窄部（３ｃ）は、柱部（３ｅ）と柱部（３ｅ）をもって構成され、上記ファスナー（４）には、上記袋体（５）の開口部の内面両側に凸部（４ａ）（４ｂ）（４ｂ）（４ｃ）（４ｄ）（４ｄ）を設けると共に一方側の上記凸部（４ａ）（４ｂ）を他方側の上記凸部（４ｃ）（４ｄ）（４ｄ）の間の凹部（４ｆ）（４ｆ）に嵌合させて開閉構造とし、上記インナースライダー（３）が上記アウタースライダー（２）の内部天井面の傾斜面（２ｅ）の傾斜方向にスライドすると上記袋体（５）の開口部を開閉することを特徴とする密封型ファスナー用スライダー構造体。
【請求項４】
天井面（２ａ）と該天井面（２ａ）につながる両側面（２ｂ）（２ｂ）から成る断面倒立Ｕ字形状のアウタースライダー（２）と、該アウタースライダー（２）の内部に入れるインナースライダー（３）とより成るスライダー（１）を備え、
上記インナースライダー（３）の一方側には袋体（５）の開口部のファスナー（４）に入る突起（３ｂ）を設け、他方側には上記袋体（５）の開口部を閉じる狭窄部（３ｃ）を設け、開口部の両側に凸部（４ａ）（４ｂ）（４ｂ）（４ｃ）（４ｄ）（４ｄ）を設け一方側の上記凸部（４ａ）（４ｂ）と他方側の上記凸部（４ｃ）（４ｄ）（４ｄ）の間の凹部（４ｆ）（４ｆ）とを嵌合させて上記ファスナー（４）が開閉構造とされ、上記アウタースライダー（２）の両側面に長孔（２ｃ）を穿設すると共に上記インナースライダー（３）の側面に長円状の突起（３ｄ）を設けて該突起（３ｄ）を上記長孔（２ｃ）に嵌め入れ、上記アウタースライダー（２）の内部の天井部に形成された傾斜面（２ｅ）側に上記袋体（５）を引くと上記ファスナー（４）の開口部が開口し、上記袋体（５）を狭窄部方向に引くと上記ファスナー（４）が閉じることを特徴とする密封型ファスナー用スライダー構造体。
【請求項５】
天井面（２ａ）と該天井面（２ａ）につながる両側面（２ｂ）（２ｂ）から成る断面倒立Ｕ字形状のアウタースライダー（２）と、該アウタースライダー（２）の内部に入れるインナースライダー（３）とより成るスライダー（１）を備え、
袋体（５）の開口部の内面の一方側に雄部となる突起（７ａ）を設けるとともに、相手となる他方側に雌部となる凹部（７ｂ）を設けて開閉構造とするファスナー（４）を備え、上記インナースライダー（３）には、上記アウタースライダー（２）内でスライドさせることにより上記袋体（５）の開口部に設けた上記ファスナー（４）を開く突起（３ｂ）と上記ファスナー（４）を閉じる狭窄部（３ｃ）を設け、上記アウタースライダー（２）の内部の天井部に上記インナースライダー（３）をスライドさせる傾斜面（２ｅ）を設け上記袋体（５）の開口部の上記ファスナー（４）を開閉することを特徴とする密封型ファスナー用スライダー構造体。
【請求項６】
天井面（２ａ）と該天井面（２ａ）につながる両側面（２ｂ）（２ｂ）から成る断面倒立Ｕ字形状のアウタースライダー（２）と、該アウタースライダー（２）の内部に入れるインナースライダー（３）とより成るスライダー（１）を備え、
上記アウタースライダー（２）には、該アウタースライダー（２）の両側に凹部（２ｆ）（２ｆ）を設けて袋体（５）の開口部とファスナー（４）を通すと共に、該アウタースライダー（２）内部の天井部の傾斜面（２ｅ）に上記インナースライダー（３）をスライドするように設置させて該インナースライダー（３）で上記袋体（５）の開口部に設けた上記ファスナー（４）を開く突起（３ｂ）と上記ファスナー（４）を閉じる狭窄部（３ｃ）を設け、上記袋体（５）開口部の内面の一方側に雄部となる突起（７ａ）を設けるとともに、相手となる他方側に雌部となる凹部（７ｂ）を設けることにより、上記ファスナー（４）が開閉構造とされていることを特徴とする密封型ファスナー用スライダー構造体。
【請求項７】
天井面（２ａ）と該天井面（２ａ）につながる両側面（２ｂ）（２ｂ）から成る断面倒立Ｕ字形状のアウタースライダー（２）と、該アウタースライダー（２）の内部に入れるインナースライダー（３）とより成るスライダー（１）を備え、
上記インナースライダー（３）の一方側には袋体（５）の開口部のファスナー（４）に入る突起（３ｂ）を設け、他方側には上記袋体（５）の開口部を閉じる狭窄部（３ｃ）を設け、該狭窄部（３ｃ）は、柱部（３ｅ）と柱部（３ｅ）をもって構成され、上記袋体（５）の開口部の内面の一方側に雄部となる突起（７ａ）を設けるとともに、相手となる他方側に雌部となる凹部（７ｂ）を設けることにより、上記ファスナー（４）を開閉構造とし、上記インナースライダー（３）が上記アウタースライダー（２）の内部の天井部に形成された傾斜面（２ｅ）の傾斜方向にスライドすると上記袋体（５）の開口部を開閉することを特徴とする密封型ファスナー用スライダー構造体。
【請求項８】
天井面（２ａ）と該天井面（２ａ）につながる両側面（２ｂ）（２ｂ）から成る断面倒立Ｕ字形状のアウタースライダー（２）と、該アウタースライダー（２）の内部に入れるインナースライダー（３）とより成るスライダー（１）を備え、
上記インナースライダー（３）の一方側には袋体（５）の開口部のファスナー（４）に入る突起（３ｂ）を設け、他方側には上記袋体（５）の開口部を閉じる狭窄部（３ｃ）を設け、上記袋体（５）の開口部の内面の一方側に雄部となる突起（７ａ）を設けるとともに、相手となる他方側に雌部となる凹部（７ｂ）を設けて上記ファスナー（４）が開閉構造とされ、上記アウタースライダー（２）の両側面に長孔（２ｃ）を穿設すると共に上記インナースライダー（３）の側面に長円状の突起（３ｄ）を設けて該突起（３ｄ）を上記長孔（２ｃ）に嵌め入れ、上記アウタースライダー（２）の内部の天井部に形成された傾斜面（２ｅ）側に上記袋体（５）を引くと上記ファスナー（４）の開口部が開口し、上記袋体（５）を狭窄部方向に引くと上記ファスナー（４）が閉じることを特徴とする密封型ファスナー用スライダー構造体。
【請求項９】
上記アウタースライダー（２）の上面には、上記インナースライダー（３）のスライドが見える窓（２ｊ）を設けた請求項１，２，３，４，５，６，７又は８記載の密封型ファスナー用スライダー構造体。
【発明の詳細な説明】
【技術分野】
【０００１】
本発明は、袋体内部に入れる豆類、砂糖や塩或いは薬や肥料等の粒状物などを入れ開閉が容易で且つ口部を密封することの出来る袋体の密封型ファスナー用スライダー構造体に関する。
【背景技術】
【０００２】
通常、薬や豆類や塩等の粒状・粉類を入れる袋体には開封後にこぼれないようにゴムやひも等で開口部に封をして袋体の残りを保存する。しかし再度開口する場合手間が面倒なので、図１６（ａ）、図１６（ｂ）のような口部を開口する突起１６ａと閉鎖する狭窄部１６ｂを同時に設けたスライダー１６（特許文献１参照）、或いは図１５のような分割型のスライダー１７を、粒体を入れた袋体１５の開口部にファスナー１４を設けてこれらをスライダー１６、１７で開閉する。この場合、図１６の突起１６ａの周囲１６ｃは少し広くなっている。
【０００３】
通常ファスナーは、図１４（ａ）に示すように、袋体１５の内部の口部近傍の一方側に雄部となる突起７ａを設け、相手となる他方側に図１４（ｂ）に示すように雌部となる凹部７ｂを設けてある。そして、口部の嵌合を開けるときには、スライダー８の突起８ａを割り込ませて開け、口部を閉じるときには、図１４（ｃ）に示すように、突起７ａと７ｂを嵌合するようになっている。なお、スライダー８には割り込み部８ａと挟持部８ｃが設けられており、これらで口部の嵌合を開閉するようになっている。
【先行技術文献】
【特許文献】
【０００４】
【特許文献１】特開２００９−２９１４２９号公報
【発明の概要】
【発明が解決しようとする課題】
【０００５】
上記特許文献１のスライダーは、金型の製作が難しく、取り付けや取り外しも難しい。特許文献１のスライダーは分割型であるが、取り付けると分割して外しにくくなる。また、特許文献１のスライダーは袋体内部を密封しにくい、という問題がある。
更に、図１３に示すように袋体１５の開口部に設けた複数条の凸部４ａ、４ｂ、４ｂと凸部４ｃ、４ｄ、４ｄからなるファスナー４では袋体１５の内部を完全密封するためのファスナーであるがそのためのスライダーはない。しかし場合によってはこのような袋体１５を密封する必要があり、そのためのスライダーが必要である。
【０００６】
図１４や図１５に示すようなスライダーは、ファスナーに取り付けるとき端部から嵌め入れることはできず、上部の隅から押し入れることになる。また、スライダーは分割しないで袋体の開口部の密封性を確保できれば最も好ましい。さらに、取り付けやすく、外しやすければ便利で他の袋体にも使用可能でその上比較的安価に製作可能なスライダーであれば、一層好ましい。ところで、考えられるファスナーとして図１３に示すように袋体の開口部に設けた複数条の凸部４ａ、４ｂ、４ｂと対向面の凸部４ｃ、４ｄ、４ｄでは、一方側の凸部４ａ、４ｂは、他方側の凸部４ｃ、４ｄ、４ｄの間の凹部４ｆ、４ｆに嵌め入れることでファスナーの密封状態を実現することが出来る。しかし実際にはこのようなファスナーやスライダーは無い。
【０００７】
本発明は、上記課題に対処するためになされたものであり、図１４に示すようなファスナーを開閉することができるだけでなく、図１３に示すようなファスナーも開閉することができる袋体の密封性を確保出来る応用範囲の広いスライダー構造体を提供することを目的としている。
【課題を解決するための手段】
【０００８】
そこで、本発明に係る密封型ファスナー用スライダー構造体は、天井面と該天井面につながる両側面から成る断面倒立Ｕ字形状のアウタースライダーと、該アウタースライダーの内部に入れるインナースライダーとより成るスライダーを備え、袋体の開口部の内面両側に凸部を設けると共に一方側の上記凸部を他方側の上記凸部の間の凹部に嵌合させて開閉構造とするファスナーを設け、上記インナースライダーには、上記アウタースライダー内でスライドさせることにより上記袋体の開口部に設けた上記ファスナーを開く突起と上記ファスナーを閉じる狭窄部を設け、上記アウタースライダーの内部の天井部に上記インナースライダーをスライドさせる傾斜面を設け上記袋体の開口部の上記ファスナーを開閉するものである。
【０００９】
また、天井面と該天井面につながる両側面から成る断面倒立Ｕ字形状のアウタースライダーと、該アウタースライダーの内部に入れるインナースライダーとより成るスライダーを備え、上記アウタースライダーには、該アウタースライダーの両側に凹部を設けて袋体の開口部とファスナーを通すと共に、該アウタースライダー内部の天井部の傾斜面に上記インナースライダーをスライドするように設置させて該インナースライダーで上記袋体の開口部に設けた上記ファスナーを開く突起と上記ファスナーを閉じる狭窄部を設け、上記ファスナーの両側に凸部を設けると共に一方側の上記凸部と他方側の上記凸部の間の凹部とを嵌合させて開閉構造を設けるものである。
【００１０】
また、天井面と該天井面につながる両側面から成る断面倒立Ｕ字形状のアウタースライダーと、該アウタースライダーの内部に入れるインナースライダーとより成るスライダーを備え、上記インナースライダーの一方側には袋体の開口部のファスナーに入る突起を設け、他方側には上記袋体の開口部を閉じる狭窄部を設け、該狭窄部は、柱部と柱部をもって構成され、上記ファスナーには、上記袋体の開口部の内面両側に凸部を設けると共に一方側の上記凸部を他方側の上記凸部の間の凹部に嵌合させて開閉構造とし、上記インナースライダーが上記アウタースライダーの内部天井面の傾斜面の傾斜方向にスライドすると上記袋体の開口部を開閉するものである。
【００１１】
また、天井面と該天井面につながる両側面から成る断面倒立Ｕ字形状のアウタースライダーと、該アウタースライダーの内部に入れるインナースライダーとより成るスライダーを備え、上記インナースライダーの一方側には袋体の開口部のファスナーに入る突起を設け、他方側には上記袋体の開口部を閉じる狭窄部を設け、開口部の両側に凸部を設け一方側の上記凸部と他方側の上記凸部の間の凹部とを嵌合させて上記ファスナーが開閉構造とされ、上記アウタースライダーの両側面に長孔を穿設すると共に上記インナースライダーの側面に長円状の突起を設けて該突起を上記長孔に嵌め入れ、上記アウタースライダーの内部の天井部に形成された傾斜面側に上記袋体を引くと上記ファスナーの開口部が開口し、上記袋体を狭窄部方向に引くと上記ファスナーが閉じるものである。
【００１２】
また、天井面と該天井面につながる両側面から成る断面倒立Ｕ字形状のアウタースライダーと、該アウタースライダーの内部に入れるインナースライダーとより成るスライダーを備え、袋体の開口部の内面の一方側に雄部となる突起を設けるとともに、相手となる他方側に雌部となる凹部を設けて開閉構造とするファスナーを備え、上記インナースライダーには、上記アウタースライダー内でスライドさせることにより上記袋体の開口部に設けた上記ファスナーを開く突起と上記ファスナーを閉じる狭窄部を設け、上記アウタースライダーの内部の天井部に上記インナースライダーをスライドさせる傾斜面を設け上記袋体の開口部の上記ファスナーを開閉するものである。
【００１３】
また、天井面と該天井面につながる両側面から成る断面倒立Ｕ字形状のアウタースライダーと、該アウタースライダーの内部に入れるインナースライダーとより成るスライダーを備え、上記アウタースライダーには、該アウタースライダーの両側に凹部を設けて袋体の開口部とファスナーを通すと共に、該アウタースライダー内部の天井部の傾斜面に上記インナースライダーをスライドするように設置させて該インナースライダーで上記袋体の開口部に設けた上記ファスナーを開く突起と上記ファスナーを閉じる狭窄部を設け、上記袋体開口部の内面の一方側に雄部となる突起を設けるとともに、相手となる他方側に雌部となる凹部を設けることにより、上記ファスナーが開閉構造とされているものである。
【００１４】
また、天井面と該天井面につながる両側面から成る断面倒立Ｕ字形状のアウタースライダーと、該アウタースライダーの内部に入れるインナースライダーとより成るスライダーを備え、上記インナースライダーの一方側には袋体の開口部のファスナーに入る突起を設け、他方側には上記袋体の開口部を閉じる狭窄部を設け、該狭窄部は、柱部と柱部をもって構成され、上記袋体の開口部の内面の一方側に雄部となる突起を設けるとともに、相手となる他方側に雌部となる凹部を設けることにより、上記ファスナーを開閉構造とし、上記インナースライダーが上記アウタースライダーの内部の天井部に形成された傾斜面の傾斜方向にスライドすると上記袋体の開口部を開閉するものである。
【００１５】
また、天井面と該天井面につながる両側面から成る断面倒立Ｕ字形状のアウタースライダーと、該アウタースライダーの内部に入れるインナースライダーとより成るスライダーを備え、上記インナースライダーの一方側には袋体の開口部のファスナーに入る突起を設け、他方側には上記袋体の開口部を閉じる狭窄部を設け、上記袋体の開口部の内面の一方側に雄部となる突起を設けるとともに、相手となる他方側に雌部となる凹部を設けて上記ファスナーが開閉構造とされ、上記アウタースライダーの両側面に長孔を穿設すると共に上記インナースライダーの側面に長円状の突起を設けて該突起を上記長孔に嵌め入れ、上記アウタースライダーの内部の天井部に形成された傾斜面側に上記袋体を引くと上記ファスナーの開口部が開口し、上記袋体を狭窄部方向に引くと上記ファスナーが閉じるものである。
【００１６】
また、上記アウタースライダーの上面には、上記インナースライダーのスライドが見える窓を設けたものである。
【発明の効果】
【００１７】
この密封型ファスナー用スライダー構造体は、ファスナーを取り付けた袋体を密封することが可能となる。しかもこの密封型ファスナー用スライダー構造体は、インナースライダーを取り付けた状態のアウタースライダーを外から袋体に嵌めるだけで簡単に袋体に取り付けることが出来る。
【００１８】
本発明のアウタースライダーもインナースライダーも分割する箇所はなく、金型も精度良く製作することが出来る。また、製品の材料として少し弾力性のある樹脂材を用いれば、アウタースライダーとインナースライダーの組み立ては、比較的容易である。
【００１９】
本願発明の密封型ファスナー用スライダー構造体は、或る袋体に使用してその袋体を使用し終えると他の袋体にも使用することができる。従って無駄になることは無いので省資源にも役立つ。更に、若干袋体のサイズが異なっていても使用可能であるから、このような面からもスライダーの種類を減らすことができる。
【図面の簡単な説明】
【００２０】
【図１】図１（ａ）は本願発明の密封型ファスナー用スライダーの平面図であり、図１（ｂ）は本発明の密封型ファスナー用スライダーの正面図であり、図１（ｃ）は本発明の密封型ファスナー用スライダーの底面図である。
【図２】図２（ａ）は本願発明の密封型ファスナー用スライダーの正面図である図１（ｂ）の左側面図であり、図２（ｂ）は本願発明の密封型ファスナー用スライダーの正面図である図１（ｂ）の右側面図である。
【図３】図３は本願発明の袋体の密封型ファスナー用スライダーを組み立てる場合の下方向から見た分解斜視図である。
【図４】図４は袋体に取り付けた状態の本願発明の密封型ファスナー用スライダーを下方向から見た斜視図である。
【図５】図５は、図１（ｂ）のX−X矢視断面図である。
【図６】図６（ａ）は、図５のZ−Z矢視断面図であり、  図６（ｂ）は、図６（ａ）のY−Y矢視断面図である。
【図７】図７（ａ）はファスナー用スライダーを袋体に組み立てた状態の一部正面図であり、図７（ｂ）は図７（ｃ）のZ−Z矢視断面図であり、図７（ｃ）は図７（ａ）のY−Y矢視断面図である。
【図８】図８（ａ）は袋体の左端に行ったスライダーを右方向へスライドさせる場合の一部正面図であり、図８（ｂ）は図８（ｃ）のZ−Z矢視断面図であり、図８（ｃ）は図８（ａ）のY−Y矢視断面図である。この場合、袋体のファスナーにインナースライダーの突起が入る。
【図９】図９（ａ）はスライダーを袋体の右方向へスライドさせる場合の一部正面図であり、図９（ｂ）は図９（ｃ）のZ−Z矢視断面図であり、図９（ｃ）は図９（ａ）のY−Y矢視断面図である。この場合、図８と同様袋体のファスナーにインナースライダーの突起が入る。
【図１０】図１０（ａ）は袋体にスライダーを取り付けた状態の一部正面図であり、図１０（ｂ）は図１０（ｃ）のZ−Z矢視断面図であり、図１０（ｃ）は図１０（ａ）のY−Y矢視断面図である。この場合、袋体のファスナーにはインナースライダーの突起は入らないで、ファスナーを閉じる。
【図１１】図１１（ａ）はスライダーを袋体から外す場合の一部正面図であり、図１１（ｂ）は同じ方向の断面図である。
【図１２】図１２（ａ）は本願発明のインナースライダーの平面図であり、図１２（ｂ）は正面図であり、図１２（ｃ）は右側面図である。
【図１３】図１３は、袋体の開口部に設けるファスナーの一例の断面図であって、図１３（ａ）は閉鎖状態のファスナーであり、図１３（ｂ）は開いた状態のファスナーである。
【図１４】図１４（ａ）は袋体入り口の突起と凹部が嵌合した状態のファスナーの断面図であり、図１４（ｂ）は嵌合した状態のファスナーの突起と雌の凹部とをスライダーの突起で分離する状態の断面図であり、図１４（ｃ）はファスナーの突起と雌の凹部とを再び嵌合する状態の断面図である。
【図１５】図１５は、分離型のスライダーで袋体の嵌合部を開閉する場合の図である。
【図１６】図１６は、従来から知られている一般的なスライダーで袋体の嵌合部を開閉する場合の図である。
【発明を実施するための形態】
【００２１】
以下、本願発明を実施するための具体的形態について図面を参照して説明する。
図１（ａ）は本願発明に係る密封型ファスナー用スライダー構造体を構成するスライダー１の平面図であり、図１（ｂ）はスライダー１の正面図であり、図１（ｃ）はスライダー１の底面図である。スライダー１は、天井面２ａとこの天井面２ａにつながる両側面２ｂ及び２ｂの断面倒立Ｕ字形状のアウタースライダー２と、このアウタースライダー２の内部に入れるインナースライダー３とより構成される。
また、インナースライダー３の天井面３ａはアウタースライダー２の天井面をスライドするが、このアウタースライダー２の天井面の一部には傾斜面２ｅが形成されている（図３参照）。アウタースライダー２の２ｆは袋体５の通り溝としての凹部である。また、アウタースライダー２には上面にインナースライダー３の動作が見える窓２ｊが設けてある。
【００２２】
図２（ａ）はスライダー１の正面図である図１（ｂ）の左側面図であり、図２（ｂ）はスライダー１の正面図である図１（ｂ）の右側面図である。そして、図３はスライダー１を組み立てる際の下方向から見た（分解状態の）斜視図であり、図４は袋体５に取り付けた状態のスライダー１を下方向から見た斜視図である。前記アウタースライダー２には、後述するように、側壁に長孔２ｃが、設けられ、インナースライダー３の両側には、前記アウタースライダー２の長孔２ｃに入る突起３ｄ、３ｄが設けられている。この突起３ｄは楕円（長円）であるが、その理由はアウタースライダー２の長孔２ｃに入れたときインナースライダー３が回転して下側に落下しないようにするためである。しかし回転しないように工夫するのであればこの突起３ｄは円筒型でもよい。更に、前記インナースライダー３には、一方側に袋体５のファスナー４に入る突起３ｂが設けられ、他方側に袋体５のファスナー４を閉鎖（閉じる）狭窄部３ｃが設けられている。
【００２３】
図１（ｃ）及び図３及び図４にも示すよう、インナースライダー３の一方側には該インナースライダー３をスライドさせると袋体５の開口部に設けたファスナー４を開口する突起３ｂが設けられ、また、他方側にはファスナー４を閉鎖する狭窄部３ｃが設けられ、前記アウタースライダー２の内部の一方側には内部天井部２ａに前記インナースライダー３をスライドさせ乗り上げる傾斜面２ｅが設けられている。
【００２４】
図１（ａ）及び図１（ｃ）に示すように、左右の開口部にある凹部２ｆ、２ｆは、特に袋体５のファスナー４を通す部分である。これらの凹部２ｆと凹部２ｆは上下に突き抜けて設けてある（図３及び図４参照）。図３に示すように、アウタースライダー２の中にインナースライダー３が嵌められるが、袋体５のファスナー４は狭窄部３ｃを構成する柱部３ｅ、３ｅと、ファスナー４に入り込む突起３ｂが見える。この状態では袋体５のファスナー４の上にはインナースライダー３の突起３ｂは入らず、袋体５のファスナー４は前記柱部３ｅ、３ｅから成る狭窄部３ｃにより閉鎖される。また、アウタースライダー２に設けてある長孔２ｃにはインナースライダー３の突起３ｄが嵌められている。
【００２５】
図６（ａ）及び図６（ａ）のY−Y矢視断面図である図６（ｂ）に示すように、アウタースライダー２にインナースライダー３を嵌め入れ、インナースライダー３をアウタースライダー２の内側天井の平坦部２ｄをスライドさせると、インナースライダー３の袋体５のファスナー４は閉鎖され突起３ｂはファスナー４から外れる、即ち、袋体５は開口部が閉鎖された状態となる。なお、アウタースライダー２の外側側壁には滑り止め２ｈが設けられている。
【００２６】
図７（ａ）はスライダー１を袋体５に組み立て、袋体５の左端部（図の左端部）に位置した状態の一部正面図であり、図７（ｂ）は図７（ｃ）のZ−Z矢視断面図であり、図７（ｃ）は図７（ａ）のY−Y矢視断面図である。この場合インナースライダー３は袋体５の図の左端部の位置に来て該袋体５のファスナー４を閉鎖している。また、インナースライダー３の突起３ｂは袋体５のファスナー４には入らない。
【００２７】
図８（ａ）は袋体５の左端に行ったスライダー１を右方向へスライドさせる場合の一部正面図であり、図８（ｂ）は図８（ｃ）のZ−Z矢視断面図であり、図８（ｃ）は図８（ａ）のY−Y矢視断面図である。この場合、インナースラスライダー３の内部の天井面３ａはアウタースライダー２の傾斜面２ｅに乗り、インナースライダー３の突起３ｂが袋体５のファスナー４に入る。そしてこの状態でスライダー１をスライドさせると袋体５の開口部のファスナー４は、開かれる状態となる。
【００２８】
図９（ａ）は袋体５の左端にあるスライダー１を右方向へスライドさせる場合の一部正面図であり、図９（ｂ）は図９（ｃ）のZ−Z矢視断面図であり、図９（ｃ）は図９（ａ）のY−Y矢視断面図である。この場合、インナースライダー３はアウタースライダー２の内部の傾斜面２ｅに乗った状態となり、右方向へ移動するため該インナースライダー３は、図９に示すように図９（ａ）の左端から右方向へ移動すると、突起３ｂは袋体５のファスナー４に入り該袋体５の開口部が開いた状態となる。
【００２９】
図１０は袋体５の開口部を密封してスライダー１を外すための図である。図１０（ａ）は袋体５の左端にあるスライダー１を右方向へスライドさせる場合の一部正面図であり、図１０（ｂ）は図１０（ｃ）のZ−Z矢視断面図であり、図１０（ｃ）は図１０（ａ）のY−Y矢視断面図である。これ等の図は、インナースライダー３の突起３ｂをファスナー４に入れ、図９の袋体５の開口部のファスナー４を開いた状態から袋体５の開口部を閉じる状態の動き（密封型スライダーを右から左方向へ移動させる状態を示した図である）である。この場合インナースライダー３の突起３ｂは袋体５のファスナー４に入らず、袋体５のファスナー４は狭窄部３ｃによって閉鎖される。
【００３０】
図１１（ａ）は袋体５にスライダー１を装着した状態の一部正面図であり、図１１（ｂ）は同じ状態の図１１（ａ）の状態の中央断面図である。これらの図は袋体５のファスナー４を閉鎖した状態で、この袋体５から本願発明のスライダー１を外す場合の様子を示している。このように袋体５のファスナー４からスライダー１を外せば袋体５の中に物を入れて密封した状態となる。逆に袋体５にスライダー１を差し入れてインナースライダー３をスライドさせてアウタースライダー２の内部の傾斜面２ｅに乗せると開口部を開けて袋体５に物を入れることができる。
【００３１】
図１２（ａ）はスライダー１を構成するインナースライダー３の平面図であり、図１２（ｂ）は正面図であり、図１２（ｃ）は右側面図である。このインナースライダー３はアウタースライダー２の内部に嵌め入れるスライダーであり、該インナースライダー３の狭窄部３ｃで袋体５の開口部のファスナー４を開閉する。また、前記突起３ｄはアウタースライダー２に設けた長孔２ｃに嵌め入れる突起であり、３ｂはインナースライダー３に設けて袋体５のファスナー４に嵌め入れて袋体５の開口部を開ける突起であり、３ｅ、３ｅは袋体５のファスナー４を閉鎖するための狭窄部３ｃを構成する柱部である。こうしてスライダー１はこのインナースライダー３で袋体５のファスナー４の開閉を行う機能を有する。また、本発明は、袋体口部に設けるファスナー４を図１４に示した従来の雄と雌型のファスナーとしても良い。
【産業上の利用可能性】
【００３２】
本願発明により袋体の密封型ファスナー用スライダーをもってファスナーを設けた袋体を簡単に開閉することができる。また、袋体の開口部を完全に密封することが出来るので袋体を多数製作して種々の用途に利用することができる。また、完全密封の袋体として利用することができるので応用範囲が広い。
【符号の説明】
【００３３】
１      スライダー
２      アウタースライダー
２ａ    天井面
２ｂ    側面
２ｃ    長孔
２ｅ    傾斜面
２ｊ    窓
３      インナースライダー
３ａ    インナースライダーの天井面
３ｂ    突起
３ｃ    狭窄部
３ｅ    狭窄部用柱部
４      ファスナー
４ａ、４ｂ    一方側の凸部
４ｃ、４ｄ    他方側の凸部
４ｆ    他方側の凹部
５      袋体
【図１】
0006207899.tif 000002
【図２】
0006207899.tif 000003
【図３】
0006207899.tif 000004
【図４】
0006207899.tif 000005
【図５】
0006207899.tif 000006
【図６】
0006207899.tif 000007
【図７】
0006207899.tif 000008
【図８】
0006207899.tif 000009
【図９】
0006207899.tif 000010
【図１０】
0006207899.tif 000011
【図１１】
0006207899.tif 000012
【図１２】
0006207899.tif 000013
【図１３】
0006207899.tif 000014
【図１４】
0006207899.tif 000015
【図１５】
0006207899.tif 000016
【図１６】
0006207899.tif 000017